(57)【要約】【課題】コンテンツ記録装置１０１から可搬媒体１０２へコンテンツを転送する際、記録されている大量のコンテンツから所望のコンテンツを探し出す操作が煩雑であった。【解決手段】可搬媒体１０２に対して当該可搬媒体が格納対象とする1つ以上のコンテンツを特定するルール情報（ジャンルなど）割り当てることにより、可搬媒体１０２をコンテンツ記録装置１０１へ挿入するだけで、当該ルール情報によって特定されるコンテンツ１０４が可搬媒体１０２へ転送されるようにした。【選択図】図１
2006196090.tif 000002
【特許請求の範囲】
【請求項１】
格納されたコンテンツを可搬媒体へ転送するコンテンツ記録装置であって、
前記可搬媒体には、それぞれルール情報が割り当てられ、前記ルール情報は、当該ルール情報が割り当てられた可搬媒体に格納されるコンテンツを特定する情報であり、
前記コンテンツ記録装置は、
前記可搬媒体と入出力を行うインタフェース手段と、
前記インタフェース手段による入出力が可能な状態にある可搬媒体に割り当てられたルール情報を取得するルール取得手段と、
取得されたルール情報を用いて、前記格納されたコンテンツから1つ以上のコンテンツを選択するコンテンツ選択手段と、
選択されたコンテンツを前記入出力可能な状態にある可搬媒体に転送するコンテンツ転送手段とを備えることを特徴とするコンテンツ記録装置。
【請求項２】
前記可搬媒体は、個々を識別する識別情報を有しており、
前記コンテンツ記録装置は、さらに、
前記可搬媒体に割り当てられたルール情報を、当該可搬媒体の有する識別情報と対応付けて保持するルール保持手段と、
前記入出力可能な状態にある可搬媒体から前記識別情報を取得する識別情報取得手段とを備え、
前記ルール取得手段は、前記ルール保持手段から、前記取得された識別情報に対応付けられたルール情報を、前記入出力可能な状態にある可搬媒体に割り当てられたルール情報として取得することを特徴とする請求項１記載のコンテンツ記録装置。
【請求項３】
前記可搬媒体は、当該可搬媒体に割り当てられたルール情報を保持しており、
前記ルール取得手段は、前記入出力可能な状態にある可搬媒体に格納されているルール情報を、前記入出力可能な状態にある可搬媒体に割り当てられたルール情報として取得することを特徴とする請求項１記載のコンテンツ記録装置。
【請求項４】
前記コンテンツ記録装置は、さらに、
外部よりコンテンツを取得する取得手段を備え、
前記コンテンツ選択手段は、前記取得手段によって取得されるコンテンツから１つ以上のコンテンツを選択することを特徴とする請求項１記載のコンテンツ記録装置。
【請求項５】
格納されたコンテンツを可搬媒体へ転送するコンテンツ転送方法であって、
前記可搬媒体には、それぞれルール情報が割り当てられ、前記ルール情報は、当該ルール情報が割り当てられた可搬媒体に格納されるコンテンツを特定する情報であり、
前記コンテンツ転送方法は、
前記可搬媒体と入出力を行うインタフェースステップと、
前記インタフェースステップによる入出力が可能な状態にある可搬媒体に割り当てられたルール情報を取得するルール取得ステップと、
取得されたルール情報を用いて、前記格納されたコンテンツから1つ以上のコンテンツを選択するコンテンツ選択ステップと、
選択されたコンテンツを前記入出力可能な状態にある可搬媒体に転送するコンテンツ転送ステップとを有することを特徴とするコンテンツ転送方法。
【請求項６】
格納されたコンテンツを可搬媒体へ転送するコンテンツ転送プログラムであって、
前記可搬媒体には、それぞれルール情報が割り当てられ、前記ルール情報は、当該ルール情報が割り当てられた可搬媒体に格納されるコンテンツを特定する情報であり、
前記コンテンツ転送プログラムは、
前記可搬媒体と入出力を行うインタフェースステップと、
前記インタフェースステップによる入出力が可能な状態にある可搬媒体に割り当てられたルール情報を取得するルール取得ステップと、
取得されたルール情報を用いて、前記格納されたコンテンツから1つ以上のコンテンツを選択するコンテンツ選択ステップと、
選択されたコンテンツを前記入出力可能な状態にある可搬媒体に転送するコンテンツ転送ステップとを有することを特徴とするコンテンツ転送プログラム。
【請求項７】
請求項６記載のコンテンツ転送プログラムを記録した、コンピュータによって読み取り可能なプログラム記録媒体。
【発明の詳細な説明】
【技術分野】
【０００１】
本発明は、映像情報及び／または音声情報（以下「コンテンツ」という）を可搬媒体に転送するコンテンツ記録装置に関するものである。
【背景技術】
【０００２】
近年、動画データを視聴することの出来る携帯電話など屋外でコンテンツを利用出来る携帯機器が普及してきている。それに伴って、ＤＶＤレコーダ等の屋内据え置き型のコンテンツ記録装置に記録されたコンテンツを、これらの携帯機器によって屋外でも視聴したいという要求がある。
【０００３】
この要求に対しては、コンテンツ記録装置のコンテンツをＳＤカード等の可搬媒体に転送し、携帯機器がその可搬媒体中のコンテンツを読み出すシステムが提案されており（例えば、特許文献１参照）、これらのシステムでは、可搬媒体へ転送するコンテンツを選択する方法として、リモコン等の入力装置を用いて手動で指定する方法が検討されている。
【特許文献１】特開２００２−３３０３７６号公報
【発明の開示】
【発明が解決しようとする課題】
【０００４】
しかしながら、転送したいコンテンツを一つ一つ手で選ぶという方法は、ハードディスク内蔵型ＤＶＤレコーダのような多数のコンテンツを記録できる装置にはそぐわない。具体的に言うと、ユーザは多数のコンテンツの中から所望のコンテンツを探し出す必要があり、操作が非常に煩雑なものとなってしまう。特に、毎朝のニュースやドラマなど決まりきったコンテンツを屋外で視聴したい場合、所望のコンテンツはあらかじめ分かっているのにも関わらず、ユーザは多数のコンテンツの中から所望のコンテンツを一つ一つ探し出さなくてはならない。
【０００５】
このような課題を解決する手段として、複数のコンテンツからユーザ所望のコンテンツを選択するルール情報（例えば「チャンネル」「ジャンル」等）の指定を受け付け、コンテンツの選択範囲をそのルール情報によって選択されたコンテンツに絞り込むことや、そのルール情報によって選択されたコンテンツを転送すること等が考えられる（例えば、「ジャンル」に「ニュース」を指定すると、ニュース番組のみの一覧が表示される、等）。しかしながら、このような手段も結局は、ルール情報を手動で選択するため、ルール情報の数が多くなると、所望のルール情報を探す操作自体が煩雑なものとなる。したがって、今後コンテンツの多様化やコンテンツ記録装置の大容量化に伴いルール情報の数が増加していくと、ユーザが煩雑な操作を強いられるという当初の課題に立ち戻ってしまうという問題がある。
【０００６】
そこで、本発明は、ユーザに煩雑な操作を強いることなく、多数のコンテンツから所望のコンテンツを特定することが出来る装置の提供を目的とする。
【課題を解決するための手段】
【０００７】
上記目的を達成するため、本発明のコンテンツ記録装置は、可搬媒体と入出力を行うインタフェース手段と、インタフェース手段による入出力が可能な状態にある可搬媒体が記録対象とするコンテンツを特定するルール情報を取得するルール取得手段と、取得されたルール情報を用いて、コンテンツ記録装置内に格納されたコンテンツから１つ以上のコンテンツを選択するコンテンツ選択手段と、選択されたコンテンツを前記入出力可能な状態にある可搬媒体へ転送することを特徴とした。
【０００８】
この構成により、本発明のコンテンツ記録装置は、インタフェース手段による入出力が可能な状態にある可搬媒体が格納対象とするコンテンツを特定して当該可搬媒体へ転送することが可能となる。
【発明の効果】
【０００９】
本発明によれば、コンテンツ記録装置は、入出力可能な状態にある可搬媒体が格納対象とするコンテンツを特定して当該可搬媒体へ転送する。これにより、ユーザは可搬媒体をコンテンツ記録装置と入出力可能な状態にする（例えば、コンテンツ記録装置に可搬媒体を挿入する等）ことで、その可搬媒体へ転送するコンテンツを指定することが可能である。これにより、ユーザは、簡単な操作で多数のコンテンツから転送したいコンテンツを特定することが出来るようになり、コンテンツ選択時にユーザが煩雑な操作を強いられるという課題が解決される。更に、本発明は可搬媒体に、その可搬媒体が格納対象とするコンテンツを特定するルール情報を割り当てているので、可搬媒体毎にニュース用、スポーツ用等の設定が可能である。それ故、例えば転送したコンテンツのうちニュースに関連するコンテンツを所望する場合も可搬媒体がどのルールを設定したものかを管理することで、簡単に探し出すことが可能となる。
【発明を実施するための最良の形態】
【００１０】
以下本発明の実施の形態について、図面を参照しながら説明する。
【００１１】
本発明の実施の形態１〜３は、図１に示すような外観図を持ち、コンテンツ記録装置１０１、可搬媒体１０２、携帯機器１０３より構成される。コンテンツ記録装置１０１は可搬媒体１０２が格納対象としているコンテンツ１０４を可搬媒体１０２へ転送し、ユーザは可搬媒体１０２中のコンテンツ１０４を携帯機器１０３に読み込ませることで、コンテンツ１０４を携帯機器１０３で視聴することが出来る。
【００１２】
（機能ブロック図）
図２は、本発明のコンテンツ記録装置１０１の機能ブロック図である。本発明のコンテンツ記録装置１０１は、記録部２０１、操作入力部２０２、外部出力部２０３、可搬媒体インタフェース部２０４、制御部２０５、コンテンツ受信部２０６、ドライブ機構２０７、信号処理部２０８およびデコーダ部２０９を備えており、図２は、各構成要素がバス２１０によって相互に接続されている様子を表している。
【００１３】
記録部２０１は、コンテンツ記録装置が使用する情報を記録する部分であり、記録される情報としてはコンテンツ本体や、コンテンツに関連する情報等が挙げられる。これらの情報は、可搬媒体、放送波、ディスクおよびユーザからの入力等より取得する。
【００１４】
操作入力部２０２は、ユーザからの入力を受け付ける部分である。具体的には、リモコンによる操作や、ネットワークを経由した外部機器からの操作を受ける。
【００１５】
外部出力部２０３は、テレビ等の外部表示装置へ表示する画像および出力する音声を制御する部分である。表示内容および出力内容としては、コンテンツそのもの以外にもユーザへの入力を促す画面等がある。
【００１６】
可搬媒体インタフェース部２０４は、可搬媒体の検出および入出力を行う部分である。
【００１７】
制御部２０５は、コンテンツ記録装置１０１の構成要素の動作を制御する部分である。
【００１８】
コンテンツ受信部２０６は、放送波等によってコンテンツを取得する部分である。
【００１９】
ドライブ機構２０７は、ディスクからコンテンツを取得する部分である。
【００２０】
信号処理部２０８は、コンテンツ信号を処理する部分である。具体的には、信号の増幅や誤り訂正などを行う。
【００２１】
デコーダ部２０９は、コンテンツ信号をデコードする部分である。コンテンツ信号は記録容量を節約する目的で圧縮されているため、このような部分が必要となる。また、このデコードの際、コンテンツは音声信号と画像信号に分離される。
【００２２】
このような構成により、コンテンツ記録装置１０１は、可搬媒体・ディスクおよび放送波等から取得したコンテンツをコンテンツ記録部に記録することが可能となる。また、外部より取得したコンテンツおよびコンテンツ記録部２０１に記録されているコンテンツを外部表示装置へ出力することが可能となる。
【００２３】
（実施の形態１）
続いて、本発明の実施の形態１について説明を行う。
【００２４】
実施の形態１では、可搬媒体１０２はそれぞれ識別子を保持しており、コンテンツ記録装置１０１は可搬媒体１０２の識別子と可搬媒体１０２が格納対象とするコンテンツ１０４を特定するルール情報とを対応付けたルールテーブル（後述）を保持している。コンテンツ記録装置１０１は、可搬媒体１０２が検出されると、可搬媒体１０２の識別子を用いてルールテーブルよりルール情報を読み出し、そのルール情報に基づいて選択されたコンテンツ１０４を可搬媒体１０２へ転送する。
【００２５】
図３は、図２に示した構成要素のうち本発明の実施の形態１を実現するために必要な構成要素を示す図である。特に、実施の形態１の特徴を示す構成要素については色をつけている。
【００２６】
以下、それぞれの構成要素について説明していく。
【００２７】
＜コンテンツ記録装置１０１＞
コンテンツ記録装置１０１は、転送コンテンツ記録部３０１、操作入力部３０２、外部出力部３０３、可搬媒体インタフェース部３０４、ルールテーブル記録部３０５、ルール検索部３０６、転送コンテンツ選択部３０７およびルール設定部３０８を備える。ここで、転送コンテンツ記録部３０１およびルールテーブル記録部３０５は、図２における記録部２０１内の構成を示したものであり、ルール検索部３０６・転送コンテンツ選択部３０７・ルール設定部３０８は図２における制御部２０５内の構成を示したものである。また、操作入力部３０２〜可搬媒体インタフェース部３０４は、図２における操作入力部２０１〜可搬媒体インタフェース部２０４と同一のものである。
【００２８】
転送コンテンツ記録部３０１は、コンテンツα１とコンテンツ情報α２とを格納する部分である。コンテンツα１は、転送コンテンツ記録部に格納されているコンテンツ本体である。また、コンテンツ情報α２は、格納されているコンテンツとその特徴の対応関係を示すものであり、具体的には図４に示す対応テーブルの形を取る。このコンテンツ情報α２は放送等によりコンテンツα１とともに取得した各コンテンツの特徴情報を元に作られる。
【００２９】
操作入力部３０２は、ユーザからのコンテンツ記録装置に対する様々な操作を受ける部分である。具体的には、リモコンによる操作や、ネットワークを経由した外部機器からの操作を受ける。
【００３０】
外部出力部３０３は、テレビ等の外部表示装置に出力する映像および音声を制御する部分である。出力内容としては、例えば、ユーザに対して指示を求めるための受付画面や、ユーザ操作に対する結果などが挙げられる。
【００３１】
可搬媒体インタフェース部３０４は、コンテンツ記録装置へ可搬媒体が挿入されたか否かの検知や、コンテンツ記録装置に挿入された可搬媒体へのデータの読み書きを行う部分である。実施の形態１で行われる可搬媒体への書き込み動作としては、転送コンテンツ選択部３０７により選択されたコンテンツを可搬媒体に転送すること等が挙げられる。同様に、可搬媒体からの読み込み動作としては、可搬媒体の識別子を取得すること等が挙げられる。
【００３２】
ルールテーブル記録部３０５は、可搬媒体の識別子と、その識別子を持つ可搬媒体に割り当てられたルール情報とを対応付けて記録するルールテーブルβ１を格納する部分である。ここで、ルールテーブルβ１は例えば図５のようなデータ構造を持ち、ルール情報は、前記転送コンテンツ記録部３０１に記録されている複数のコンテンツから、そのルール情報が割り当てられた可搬媒体が格納対象とする1つ以上のコンテンツを特定するための情報である。例えば、ルールテーブルβ１では、識別子１２３４５を持つ可搬媒体については“ジャンルがスポーツである番組が格納される”ことを表すルール情報が、識別子９８７６５を持つ可搬媒体には“チャンネルが６である番組が格納される”ことを表すルール情報が、識別子４５６７８を持つ可搬媒体には“キーワードがダイエットである番組が格納される”ことを表すルール情報が記録されている。
【００３３】
ルール検索部３０６は、可搬媒体インタフェース部３０４より可搬媒体の識別子を受け取り、その識別子を持つ可搬媒体に割り当てられたルール情報をルールテーブルβ１から取得する部分である。例えば、可搬媒体の識別子が“１２３４５”であり、図５のルールテーブルがルールテーブル記録部３０５に記録されている場合“この可搬媒体には、ジャンルがスポーツである番組が格納される”というルール情報を取得する。また、読み出されたルール情報は転送コンテンツ選択部３０７に送られる。
【００３４】
転送コンテンツ選択部３０７は、可搬媒体に転送するコンテンツを選択する部分である。ルール検索部３０６によって決定されるルール情報とコンテンツ情報α２とを比較することで、可搬媒体へ転送するコンテンツを選択する部分である。転送コンテンツ選択部３０７は、例えば、転送コンテンツ記録部３０１に記録されているコンテンツ情報が図４であり、ルール検索部３０６より受け取ったルール情報が“この可搬媒体には、ジャンルがスポーツである番組が格納される”という情報である場合には、「ペ・リーグ決勝」と「日本カップ」を選択する。
【００３５】
ルール設定部３０８は、操作入力部３０２からルールテーブルの更新入力を受け付けた場合に、ルールテーブルβ１を更新する部分である。
【００３６】
＜可搬媒体１０２＞
可搬媒体１０２は識別子保持部３０９、コンテンツ記録部３１０およびインタフェース部１１１を備える。
【００３７】
識別子保持部３０９は、可搬媒体の識別子を保持する部分である。この識別子は可搬媒体毎に一意の値であり、例えば可搬媒体がＳＤカード等固有の暗号化キーを持つ可搬媒体である場合、識別子に代えてその暗号化キーであっても良い。
【００３８】
コンテンツ記録部３１０は、コンテンツ記録装置１０１から受け取ったコンテンツを記録する部分である。
【００３９】
インタフェース部３１１は、コンテンツ記録装置１０１中の可搬媒体インタフェース部３０４と情報のやり取りを行う部分である。具体的には、コンテンツ記録装置１０１から可搬媒体の識別子を要求された場合に識別子保持部３０９から識別子を読み出して返送する動作や、コンテンツ記録装置１０１よりコンテンツを転送された場合に、そのコンテンツをコンテンツ記録部３１０へ記録する動作などを行う。
【００４０】
＜コンテンツ転送処理＞
続いて、実施の形態１において、コンテンツ転送を行う際の処理の流れを説明していく。図６はこの処理のフローチャートであり、制御部２０５による各構成要素の動作制御の様子を表している。また、以下では具体例として、コンテンツ記録装置が図４のコンテンツ情報と図５のルールテーブルとを保持している時に、識別子９８７６５を持つ可搬媒体が検出された場合の処理を例示する。
【００４１】
まず、コンテンツ記録装置１０１は、可搬媒体インタフェース部３０４が可搬媒体の挿入を検出するまで待つ（ステップＳ６０１）。
【００４２】
可搬媒体の挿入が検出されると、可搬媒体インタフェース部３０４は可搬媒体の識別子の取得要求を可搬媒体中のインタフェース部３１１に送信する。インタフェース部３１１はこの要求を受け、識別子保持部３０９から可搬媒体固有の識別子を読み出し、可搬媒体インタフェース部３０４へ返送する（ステップＳ６０２）。したがって、本例では、可搬媒体固有の識別子９８７６５が返送される。
【００４３】
可搬媒体インタフェース部３０４は、ルール検索部３０６に取得した可搬媒体の識別子を送信する。ルール検索部３０６はその識別子を持つ可搬媒体に割り当てられたルール情報がルールテーブルβ１内に存在するかを調べる。ルール情報が存在しなかった場合は、初期状態に戻る（ステップＳ６０３における「ＮＯ」の分岐）。ルール情報が発見された場合は、そのルール情報を転送コンテンツ選択部３０７へ送信する（ステップＳ６０３における「ＹＥＳ」の分岐）。本例では、可搬媒体の識別子が９８７６５であるため、“この可搬媒体は、チャンネルが６である番組を格納する”というルール情報が発見され、コンテンツ選択部３０７へ送信される。
【００４４】
転送コンテンツ選択部３０７は受け取ったルール情報に対応する番組をコンテンツ情報α２から検索する（ステップＳ６０４）。ここで、ルール情報に対応する番組がなかった場合には初期状態に戻る（ステップＳ６０５における「ＮＯ」の分岐）。ルール情報に対応する番組が見つかった場合には、その番組を可搬媒体インタフェース部３０４へ転送する（ステップＳ６０５における「ＹＥＳ」の分岐）。本例では、“チャンネルが６である番組”として「日本カップ」が発見されるため、コンテンツ「日本カップ」が転送される。
【００４５】
可搬媒体インタフェース部３０４は、受け取った番組を可搬媒体中のインタフェース部３１１へ転送する。インタフェース部３１１は受け取った番組をコンテンツ記録部３１０に記録する（ステップＳ６０６）。したがって、本例ではコンテンツ「日本カップ」がコンテンツ記録部３１０に記録される。
【００４６】
＜ルール情報更新処理＞
続いて、実施の形態１において、ルール情報更新処理の流れを説明する。図７はこの処理のフローチャートであり、制御部２０５による各構成要素の動作制御の様子を表している。以下の説明では具体例として、コンテンツ記録装置が図４の番組情報と図５のルールテーブルとを保持している時に、固有識別子１２３４５を持つ可搬媒体に対応するルール情報を“この可搬媒体には、チャンネルが４である番組が格納される”という情報に更新する処理について例示する。
【００４７】
可搬媒体の挿入を検出し識別子を取得するまでの流れは、コンテンツ転送処理の例におけるステップＳ６０１〜ステップＳ６０２と同一であるため省略する（対応するステップは、ステップＳ７０１〜ステップＳ７０２）。すなわち、本例では可搬媒体の識別子として“１２３４５”が読み出され、可搬媒体インタフェース部３０４に転送される。
【００４８】
可搬媒体インタフェース部３０４は、ルール検索部に取得した可搬媒体固有の識別子を送信する。ルール検索部３０６はその識別子を持つ可搬媒体に割り当てられたルール情報がルールテーブルβ１内に存在するかを調べる。ルール情報が存在しなかった場合には初期状態に戻る（ステップＳ７０３における「ＮＯ」の分岐）。一方、ルール情報が存在した場合には、ルール情報の更新を行うかをユーザに尋ねる（ステップＳ７０３における「ＹＥＳ」の分岐）。すなわち、本例では識別子“１２３４５”を持つ可搬媒体に割り当てられたルール情報が存在しているため、ルール情報更新の可否が問われる。
【００４９】
この時、外部出力部は図８のような画面を表示し、操作入力部はユーザの回答を受け付ける。ユーザの回答が「更新しない」だった場合には初期状態に戻る（ステップＳ７０４における「ＮＯ」の分岐）。ユーザの回答が「更新する」だった場合には、更新処理を続行する（ステップＳ７０４における「ＹＥＳ」の分岐）。
【００５０】
更新処理を続行する場合、外部出力部３０３はユーザから、検出されている可搬媒体に割り当てるルール情報についての入力要求画面を表示し（図９）、操作入力部はユーザの入力を受け付ける（ステップＳ７０５）。すなわち、本例ではユーザは“この可搬媒体にはチャンネル４である番組を格納する”というルール情報を入力する。
【００５１】
ユーザからの入力後、操作入力部は入力されたルール情報をルール設定部３０８に送信する。その後、ルール設定部３０８はルールテーブルβ１から挿入されている可搬媒体に割り当てられたルール情報を検索し、そのルール情報を新たに入力されたルール情報に書き換える（ステップＳ７０６）。すなわち、本例では、ルールテーブルβ１中の識別子１２３４５に対応するルール情報が“この可搬媒体にはチャンネル４である番組を格納する”というルール情報に書き換えられる。
【００５２】
なお、本実施例では、可搬媒体の識別子がルールテーブル内に存在しない場合には初期状態に戻るとしたが、新しいルール情報を追加する、としてもよい。この場合、ルール設定部３０８はルールテーブルに可搬媒体の識別子と入力されたルール情報とを対応付けて追記する。
【００５３】
また、ルール情報を更新する際に表示する入力要求画面は、何のルールも設定されていない画面を表示するとしてもよいし、現在記録されているルール情報を表示するとしてもよいし、あらかじめ定められているデフォルトのルール情報を表示するとしてもよいし、いずれを表示するか選択できるとしてもよい。
【００５４】
また、図５では、ルール情報はジャンル、記録日、再生時間、チャンネル等の属性情報を用いてコンテンツを特定しているが、ルール情報が用いる属性情報はこれらに限られる物ではなく、他に出演者等の属性情報を用いても良い。
【００５５】
（実施の形態２）
続いて、本願の実施の形態２について説明していく。実施の形態１と実施の形態２の相違点はルール情報の記録場所であり、実施の形態１ではコンテンツ記録装置中のルールテーブルに記録していたのに対し、実施の形態２では可搬媒体中に記録している。図１０は本願の実施の形態２におけるコンテンツ記録装置と可搬媒体の構成要素を示したブロック図である。特に、実施の形態２の特徴を示す構成要素については色をつけている。
【００５６】
以下、それぞれの構成要素について説明していく。
【００５７】
＜コンテンツ記録装置１０１＞
コンテンツ記録装置１０１は転送コンテンツ記録部１００１、操作入力部１００２、外部出力部１００３、可搬媒体インタフェース部１００４、転送コンテンツ選択部１００７およびルール設定部１００８を備える。ここで、転送コンテンツ部１００７・ルール設定部１００８は図２における制御部２０５内の構成を示したものである。
【００５８】
転送コンテンツ記録部１００１、操作入力部１００２、外部出力部１００３は実施の形態１における転送コンテンツ記録部３０１、操作入力部３０２、外部出力部３０３と同一であるため、説明を省略する。
【００５９】
可搬媒体インタフェース部１００４は、可搬媒体との入出力を行う部分である。実施の形態２においては、可搬媒体への書き込み動作として転送コンテンツ選択部１００７により選択されたコンテンツの出力、および、ルール設定部１００８より受け取ったルール情報の出力を行う。また、可搬媒体からの読み出し動作としては、可搬媒体中に記録されているルール情報を取得する。
【００６０】
転送コンテンツ選択部１００７は、可搬媒体インタフェース部１００４より受け取ったルール情報に基づいて可搬媒体へ転送するコンテンツを特定する部分である。実施の形態１における転送コンテンツ選択部３０７とは、ルール情報の受け取り元が異なる。
【００６１】
ルール設定部１００８は、操作入力部１００２からルール情報の更新入力を受け付けた場合に、可搬媒体インタフェース部１００４に対して可搬媒体中に記録されているルール情報の更新を指示する部分である。
【００６２】
＜可搬媒体１０２＞
可搬媒体１０２はルール情報記録部１００９、コンテンツ記録部１０１０およびインタフェース部１０１１を備える。
【００６３】
ルール情報記録部１００９は、可搬媒体１０２が格納対象とするコンテンツを特定するルール情報を記録している部分である。実施の形態２では説明を簡単にするため、可搬媒体１０２自身と対応付けられたルール情報を１つだけ記録している。
【００６４】
コンテンツ記録部１０１０は、実施の形態１のコンテンツ記録部３１０と同一であるため、説明を省略する。
【００６５】
インタフェース部１０１１は、コンテンツ記録装置１０１中の可搬媒体インタフェース部１００４と情報のやり取りを行う部分である。具体的には、コンテンツ記録装置１０１からルール情報を要求された場合にルール情報記録部１００９からルール情報を読み出して転送する動作や、コンテンツを転送された場合にそのコンテンツをコンテンツ記録部１０１０へ記録する動作や、新しいルール情報を受信した場合にルール情報記録部中のルール情報をその新しいルール情報に更新する動作などを行う。
【００６６】
＜コンテンツ転送処理＞
続いて、実施の形態２において、コンテンツ転送を行う際の処理の流れを説明していく。図１１はこの処理の流れのフローチャートであり、制御部２０５による各構成要素の動作制御の様子を表している。
【００６７】
まず、コンテンツ記録装置は可搬媒体インタフェース部１００４が可搬媒体の挿入を検出するまで待つ（ステップＳ１１０１）。
【００６８】
可搬媒体の挿入が検出されると、可搬媒体インタフェース部１００４は可搬媒体が記録しているルール情報の取得要求を可搬媒体中のインタフェース部１０１１に送信する。インタフェース部１０１１はこの要求を受け、ルール情報記録部１００９からルール情報を読み出し、可搬媒体インタフェース部１００４へ返送する（ステップＳ１１０２）。
【００６９】
可搬媒体インタフェース部１００４は、取得したルール情報を転送コンテンツ選択部１００７に送信する。転送コンテンツ選択部１００７は受け取ったルール情報に基づいて番組情報を検索する（ステップＳ１１０３）。
【００７０】
ここで、ルール情報に対応する番組がなかった場合には初期状態に戻る（ステップＳ１１０４における「ＮＯ」の分岐）。ルール情報に対応する番組が見つかった場合には、その番組を可搬媒体インタフェース部１００４へ転送する（ステップＳ１１０４における「ＹＥＳ」の分岐）。
【００７１】
可搬媒体インタフェース部１００４は、受け取った番組を可搬媒体中のインタフェース部１０１１へ転送する。インタフェース部１０１１は受け取った番組をコンテンツ記録部１０１０に記録する（ステップＳ１１０５）。
【００７２】
＜コンテンツルール情報登録処理＞
続いて、実施の形態１において、ルール情報更新処理の流れを説明する。図１２はこの処理のフローチャートであり、制御部２０５による各構成要素の動作制御の様子を表している。
【００７３】
まず、コンテンツ記録装置は可搬媒体インタフェース部１００４が可搬媒体の挿入を検出するまで待つ（ステップＳ１１０１）。
【００７４】
続いて、操作入力部１００２は可搬媒体にルール情報を登録するか否かの入力を受け付ける。ユーザの回答が「登録しない」だった場合には初期状態に戻る（ステップＳ１２０２における「ＮＯ」の分岐）。ユーザの回答が「登録する」だった場合には、登録処理を続行する（ステップＳ１２０２における「ＹＥＳ」の分岐）。
【００７５】
登録処理を続行する場合、外部出力部１００３はユーザから現在挿入されている可搬媒体に割り当てるルール情報の入力要求画面を表示し、操作入力部はユーザの入力を受け付ける（ステップＳ１２０３）。この時、外部出力部１００３が表示する画面は実施の形態１における図９と同様である。
【００７６】
ユーザからルール情報の入力を受け付けると、操作入力部は入力されたルール情報を可搬媒体インタフェース部１００４に送る。可搬媒体インタフェース部１０１１は可搬媒体中のインタフェース部１０１１に受け取ったルール情報を送信する。これを受けて、インタフェース部１０１１はルール情報記録部１００９に受け取ったルール情報に書き込む（ステップＳ１２０４）。
【００７７】
なお、実施の形態２では、可搬媒体には一つしかルール情報を記録できないものとしたが、可搬媒体自身のルール情報以外に他の可搬媒体についてのルール情報も含めた複数のルールを記録しているとしてもよい。この場合、各可搬媒体が挿入される度に、複数のルール情報が記録されている可搬媒体から対応するルール情報を読み出すという構成となる。
【００７８】
また、実施の形態２では、可搬媒体に記録されたルール情報はユーザから入力されたルール情報に無条件で上書きされるとしたが、すでにルール情報が記録されている場合に更新するか否かをユーザに尋ねてもよい。
【００７９】
また、可搬媒体に記録されたルール情報を更新する際に表示する入力要求画面は、何のルールも設定されていない画面を表示するとしてもよいし、現在記録されているルール情報を表示するとしてもよいし、あらかじめ定められているデフォルトのルール情報を表示するとしてもよいし、いずれを表示するか選択できるとしてもよい。
【００８０】
（実施の形態３）
続いて、本願の実施の形態３について説明していく。
【００８１】
実施の形態１および実施の形態２では、可搬媒体に転送するコンテンツをコンテンツ記録装置内から選択していたが、実施の形態３では外部から取得されるコンテンツから選択する。
【００８２】
図１３は本願の実施の形態３におけるコンテンツ記録装置１０１と可搬媒体１０２の構成要素を示したブロック図である。特に、実施の形態３の特徴を示す構成要素については色をつけている。
【００８３】
以下、それぞれの構成要素について説明していく。
【００８４】
＜コンテンツ記録装置１０１＞
コンテンツ記録装置１０１はコンテンツ選択部１３０１、可搬媒体インタフェース部１３０４およびコンテンツ受信部１３０６を備える。ここで、コンテンツ選択部１３０１は制御部２０５の構成要素であり、コンテンツ受信部１３０６は図２中のコンテンツ受信部２０６と同一である。以下、それぞれの構成要素について説明していく。
【００８５】
コンテンツ選択部１３０１は、可搬媒体インタフェース部１３０４より受け取ったルール情報に基づいて可搬媒体へ転送するコンテンツを選択する部分である。
【００８６】
操作入力部１３０２は、実施の形態１における操作入力部３０２と同一であるため、説明を省略する。
【００８７】
可搬媒体インタフェース部１３０４は、外部の可搬媒体との入出力を行う部分である。実施の形態３においては、可搬媒体中のルール情報記録部１３０９よりルール情報を取得する動作と、コンテンツ選択部１３０１によって選択されたコンテンツを可搬媒体中のコンテンツ記録部１３１１に書き込む動作を行う。
【００８８】
コンテンツ受信部１３０６は、外部からコンテンツを放送等により取得する部分である。ここで、取得されるコンテンツはコンテンツ本体δ１とコンテンツの特徴情報δ２を含むものとする。
【００８９】
＜可搬媒体１０２＞
可搬媒体１０２はルール情報記録部１３０９、コンテンツ記録部１３１０およびインタフェース部１３１１を備える。
【００９０】
ルール情報記録部１３０９は、可搬媒体と対応付けられたルール情報を記録している部分である。実施の形態３では説明を簡単にするため、可搬媒体１０２自身と対応付けられたルール情報を１つだけ記録している。
【００９１】
コンテンツ記録部１３１０は、コンテンツ記録装置１０１より転送されたコンテンツを記録する部分である。
【００９２】
インタフェース部１３１１は、コンテンツ記録装置１０１中の可搬媒体管理部１３０４と情報のやり取りを行う部分である。具体的には、コンテンツ記録装置１０１からルール情報を要求された場合にルール情報記録部１３０９からルール情報を読み出して転送する動作と、コンテンツ記録装置１０１より転送されてきたコンテンツをコンテンツ記録部１３１０に記録する動作を行う。
【００９３】
＜コンテンツ転送処理＞
続いて、実施の形態３におけるコンテンツ転送処理の流れを説明していく。図１４はこの処理のフローチャートであり、制御部２０５による各構成要素の動作制御の様子を表している。
【００９４】
まず、コンテンツ記録装置は可搬媒体インタフェース部１３０４が可搬媒体の挿入を検出するまで待つ（ステップＳ１４０１）。
【００９５】
可搬媒体の挿入が検出されると、可搬媒体インタフェース部１３０４はルール情報の取得要求を可搬媒体中のインタフェース部１３１１に送信する。インタフェース部１３１１はこの要求を受け、ルール情報記録部１３０９からルール情報を読み出し、可搬媒体インタフェース部１３０４へ返送する（ステップＳ１４０２）。
【００９６】
可搬媒体インタフェース部１３０４は、取得したルール情報をコンテンツ選択部１３０１へ送信する（ステップＳ１４０３）。
【００９７】
コンテンツ記録装置は、コンテンツ選択部１３０１によって、コンテンツ受信部１３０６が取得したコンテンツが、取得されたルール情報に対応するコンテンツである、すなわち可搬媒体が格納対象とするコンテンツであると判断するまで待つ（ステップＳ１４０４における「ＮＯ」の分岐）。ここで、コンテンツ選択部１３０１は、コンテンツ受信部１３０６が取得したコンテンツがルール情報に対応するコンテンツか否かを、そのコンテンツと共に送信されているコンテンツの特徴情報δ２とルール情報との比較によって判断する。ルール情報と対応するコンテンツの受信が確認された場合（ステップＳ１４０４における「ＹＥＳ」の分岐）、そのコンテンツは可搬媒体インタフェース部１３０４および可搬媒体中のインタフェース部１３１１を介して、コンテンツ記録部１３１０に記録される（ステップＳ１４０５）。
【００９８】
その後、予約解除入力が操作入力部１３０２を介して受け付けられるまで、ステップＳ１４０４〜ステップＳ１４０５の動作が繰り返され、ルール情報に対応するコンテンツが自動的に転送されていく（ステップＳ１４０６）。
【００９９】
なお、実施の形態３では、ルール情報を実施の形態２と同様に可搬媒体から取得する方法を取っているが、これは実施の形態１と同様にコンテンツ記録装置内に記録されているとしてもよい。
【０１００】
また、実施の形態３では、可搬媒体には一つしかルール情報を記録できないものとしたが、可搬媒体自身のルール情報以外に他の可搬媒体についてのルール情報も含めた複数のルール情報を記録しているとしてもよい。この場合、可搬媒体中に記録されている複数のルール情報に基づいて、他の可搬媒体に転送するコンテンツが決定される。
【０１０１】
また、実施の形態３では、予約したコンテンツを可搬媒体中に記録しているが、これを一旦コンテンツ記録装置１０１内に記録し、後から可搬媒体に転送する構成や、コンテンツ記録装置内にのみ記録するという構成にしてもよい。
【０１０２】
（その他の応用例）
実施の形態１〜３では、可搬媒体割り当てられたルール情報は１つのカテゴリ（“チャンネル”“ジャンル”など）のみでコンテンツを特定していたが、複数のカテゴリのルールを指定するという構成にしてもよく、また、カテゴリ間で論理積・論理和を取るとしても良い。このようにすることで、例えば“ジャンルがスポーツ、かつ、キーワードがサッカー”や“ジャンルがスポーツ、もしくは、キーワードがダイエット”などと言った多彩なルール情報を設定することができるようになる。なお、このルール情報を実施の形態１に当てはめると、前者の場合は“日本カップ”のみが、後者の場合は“ペ・リーグ決勝”・“日本カップ”・“あるなし大時点”の３つの番組が選択されることになる。
【０１０３】
また、実施の形態１〜３では、ルール情報の具体例としてジャンル等を示したが、もちろんこれに限られるものではない。他のルール情報としては、例えば番組内容の要約や、出演者や、指定した画像が含まれる映像を選択する、などが挙げられる。
【０１０４】
また、実施の形態１および２では、ルール情報の更新を行う際、ユーザからルール情報の入力を受け付ける構成を取っていたが、これは、あらかじめ記録されている複数のルール情報から所望のルールの選択を受け付けるという構成にしても良い。また、さらに複数のルール情報の指定を受け付け、その論理積・論理和を新たなルール情報として設定するという構成を取っても良い。
【０１０５】
また、実施の形態１および２では、ルール情報の全てがコンテンツ記録装置で設定可能であったが、これ以外にも各コンテンツ記録装置に応じて扱うことの出来るルール情報のみを設定することが出来る、としてもよい。この場合、例えば、コンテンツ記録装置がラジオである場合などには映像に関連するルール情報は設定できない。
【０１０６】
また、実施の形態1および２では、コンテンツ記録装置から可搬媒体へコンテンツを転送する際、特にフォーマットの変換は行わなかったが、可搬媒体とコンテンツ記録装置の間で扱えるコンテンツのフォーマットが異なる場合や、コンテンツの大きさに比べて可搬媒体の容量が小さすぎる場合などに、コンテンツ転送時にフォーマットの変換を行うとしてもよい。
【０１０７】
また、実施の形態１および２では、ルール情報の更新処理を可搬媒体が挿入されるたびに行っていたが、これをユーザから更新要求があった際に行うとしてもよい。さらに、挿入された可搬媒体に対応するルールが未登録の場合はユーザからの入力がなくとも更新処理を開始するとしてもよい。
【０１０８】
また、実施の形態１〜３では、コンテンツ記録装置はルール情報の全てに基づいて番組を選択していたが、これを各コンテンツ記録装置に応じて実行できるもののみを適用する、としてもよい。この場合、例えばコンテンツ記録装置がラジオである場合などには、映像に関連するルール情報は無視することとなる。
【０１０９】
また、実施の形態１〜３では、コンテンツ記録装置の動作開始を可搬媒体の挿入時としていたが、これはこの場合に限るものではなく、例えば可搬媒体挿入後にユーザからの入力があった時などにしてもよい。
【０１１０】
また、実施の形態１〜３では、可搬媒体に転送するコンテンツをコンテンツ記録装置が受信する放送波やコンテンツ記録装置内の記録部より取得していたが、これをＣＤやＤＶＤ等の媒体から取得するとしてもよい。
【０１１１】
また、実施の形態１〜３、および、上記の応用例では、コンテンツ記録装置は、コンテンツ記録装置自身に挿入された可搬媒体と情報の入出力を行っていたが、これに限るものではなく、例えば可搬媒体はコンテンツ記録装置と無線通信により情報の入出力を行うとしてもよい。この場合、コンテンツ記録装置は、可搬媒体の挿入を検出することで動作を開始するのではなく、可搬媒体が無線通信可能となったことを検出することで動作を開始する。
【０１１２】
また、実施の形態１〜３では、コンテンツ記録装置として、テレビ番組等の放送を取り扱う装置の具体例を挙げたが、本発明はインターネットを介したストリーミング配信等の放送以外の配信方法によるコンテンツ配信を受け付ける装置や、ＣＤやＤＶＤ等の媒体から好みのコンテンツの編集を行う装置など、配信以外の方法でコンテンツを取得する装置に対しても応用することが出来ることは言うまでもない。
【産業上の利用可能性】
【０１１３】
本発明は、大量の映像情報及び／または音声情報等のコンテンツを記録できる装置において、所望のコンテンツの選択を容易に行うことが出来るという点で有用である。
【図面の簡単な説明】
【０１１４】
【図１】本発明の外観図
【図２】本発明のコンテンツ記録装置の機能ブロック図
【図３】実施の形態１のブロック図
【図４】コンテンツ情報α２の具体例を表す図
【図５】ルールテーブルβ１の具体例を表す図
【図６】実施の形態１におけるコンテンツ転送動作のフローチャート
【図７】実施の形態１におけるルール情報更新動作のフローチャート
【図８】ルール情報更新の可否確認メッセージの図
【図９】ルール情報入力画面の図
【図１０】実施の形態２のブロック図
【図１１】実施の形態２におけるコンテンツ転送動作のフローチャート
【図１２】実施の形態２におけるルール情報更新動作のフローチャート
【図１３】実施の形態３のブロック図
【図１４】実施の形態３におけるコンテンツ記録予約動作のフローチャート
【符号の説明】
【０１１５】
１０１    コンテンツ記録装置
１０２    可搬媒体
１０３    携帯機器
２０１    記録部
２０２    操作入力部
２０３    外部出力部
２０４    可搬媒体インタフェース部
２０５    制御部
２０６    コンテンツ受信部
２０７    ドライブ機構
２０８    信号処理部
２０９    デコーダ部
３０５    記録部２０１中のルールテーブル記録部
３０６    制御部２０５中のルール検索部
３０７    制御部２０５中の転送コンテンツ選択部
３０８    制御部２０５中のルール設定部
１００９    可搬媒体１０２中のルール情報記録部
【図１】
2006196090.tif 000003
【図２】
2006196090.tif 000004
【図３】
2006196090.tif 000005
【図４】
2006196090.tif 000006
【図５】
2006196090.tif 000007
【図６】
2006196090.tif 000008
【図７】
2006196090.tif 000009
【図８】
2006196090.tif 000010
【図９】
2006196090.tif 000011
【図１０】
2006196090.tif 000012
【図１１】
2006196090.tif 000013
【図１２】
2006196090.tif 000014
【図１３】
2006196090.tif 000015
【図１４】
2006196090.tif 000016